(57)【要約】【課題】非パイロットシンボルに基づくチャネル推定を迅速に実行する。【解決手段】チャネル推定装置１０は、パイロットシンボルと非パイロットシンボルとを含む無線信号に基づいて当該無線信号が伝搬される通信路の状態である通信路状態を推定する。チャネル推定装置は、パイロット処理部１２３，１２５と、非パイロット処理部１２５，１２６，１２７と、チャネル推定部１２８と、を備える。パイロット処理部は、パイロットシンボルの位相を、当該パイロットシンボルに関連付けて予め定められた第１変更量だけ変更する。非パイロット処理部は、パイロットシンボルの変更後の位相に基づいて、複数の候補変更量のうちの１つを第２変更量として選択し、非パイロットシンボルの位相を、選択した第２変更量だけ変更する。チャネル推定部は、位相が変更された、パイロットシンボル及び非パイロットシンボルに基づいて通信路状態の推定を行なう。【選択図】図６
2017208659.tif 000002
【特許請求の範囲】
【請求項１】
パイロットシンボルと、前記パイロットシンボルと異なる非パイロットシンボルと、を含む無線信号に基づいて当該無線信号が伝搬される通信路の状態である通信路状態を推定するチャネル推定装置であって、
前記パイロットシンボルの位相を、当該パイロットシンボルに関連付けて予め定められた第１変更量だけ変更するパイロット処理部と、
前記パイロットシンボルの前記変更後の位相に基づいて、互いに異なる複数の候補変更量の中から１つの候補変更量を第２変更量として選択し、前記非パイロットシンボルの位相を、前記選択した第２変更量だけ変更する非パイロット処理部と、
前記位相が変更されたパイロットシンボルと、前記位相が変更された非パイロットシンボルと、に基づいて、前記通信路状態の推定を行なうチャネル推定部と、
を備える、チャネル推定装置。
【請求項２】
請求項１に記載のチャネル推定装置であって、
前記パイロット処理部は、互いに異なる複数の時点にてそれぞれ送信された複数のパイロットシンボルのそれぞれに対して前記位相の変更を行ない、
前記チャネル推定装置は、前記複数のパイロットシンボルの前記変更後の位相に基づいて、前記無線信号を送信する送信装置が用いる周波数と前記無線信号を受信する受信装置が用いる周波数との差である周波数偏差を推定する周波数偏差推定部を備え、
前記非パイロット処理部は、
前記非パイロットシンボルの位相を変更することにより、前記非パイロットシンボルに対して、前記推定された周波数偏差を補償し、
前記複数の候補変更量のそれぞれに対して、前記周波数偏差の補償後の非パイロットシンボルの位相を、当該候補変更量だけ変更し、
前記複数の候補変更量のうちの、前記非パイロットシンボルの前記変更後の位相が、前記パイロットシンボルの前記変更後の位相に最も近くなる候補変更量を前記第２変更量として選択する、チャネル推定装置。
【請求項３】
請求項２に記載のチャネル推定装置であって、
前記パイロット処理部は、前記パイロットシンボルの位相を変更することにより、前記パイロットシンボルに対して、前記推定された周波数偏差を補償し、
前記非パイロット処理部は、前記周波数偏差の補償後のパイロットシンボルの位相に基づいて前記第２変更量の選択を行なう、チャネル推定装置。
【請求項４】
請求項１乃至請求項３のいずれか一項に記載のチャネル推定装置であって、
前記パイロット処理部は、対象シンボルから第１シンボル数だけ前のシンボルから、前記対象シンボルから第２シンボル数だけ後のシンボルまでの、時間軸において連続する複数のシンボルのうちのパイロットシンボルのそれぞれに対して前記位相の変更を行ない、
前記非パイロット処理部は、前記複数のシンボルのうちの非パイロットシンボルのそれぞれに対して前記位相の変更を行ない、
前記チャネル推定部は、前記対象シンボルに対する前記通信路状態の推定を前記複数のシンボルに基づいて行なう、チャネル推定装置。
【請求項５】
パイロットシンボルと、前記パイロットシンボルと異なる非パイロットシンボルと、を含む無線信号に基づいて当該無線信号が伝搬される通信路の状態である通信路状態を推定するチャネル推定方法であって、
前記パイロットシンボルの位相を、当該パイロットシンボルに関連付けて予め定められた第１変更量だけ変更し、
前記パイロットシンボルの前記変更後の位相に基づいて、互いに異なる複数の候補変更量の中から１つの候補変更量を第２変更量として選択し、
前記非パイロットシンボルの位相を、前記選択された第２変更量だけ変更し、
前記位相が変更されたパイロットシンボルと、前記位相が変更された非パイロットシンボルと、に基づいて、前記通信路状態の推定を行なう、チャネル推定方法。
【請求項６】
請求項５に記載のチャネル推定方法であって、
前記パイロットシンボルの前記位相の変更は、互いに異なる複数の時点にてそれぞれ送信された複数のパイロットシンボルのそれぞれに対して行なわれ、
前記チャネル推定方法は、前記複数のパイロットシンボルの前記変更後の位相に基づいて、前記無線信号を送信する送信装置が用いる周波数と前記無線信号を受信する受信装置が用いる周波数との差である周波数偏差を推定することを含み、
前記第２変更量の選択は、
前記非パイロットシンボルの位相を変更することにより、前記非パイロットシンボルに対して、前記推定された周波数偏差を補償し、
前記複数の候補変更量のそれぞれに対して、前記周波数偏差の補償後の非パイロットシンボルの位相を、当該候補変更量だけ変更し、
前記複数の候補変更量のうちの、前記非パイロットシンボルの前記変更後の位相が、前記パイロットシンボルの前記変更後の位相に最も近くなる候補変更量を前記第２変更量として選択することを含む、チャネル推定方法。
【請求項７】
請求項６に記載のチャネル推定方法であって、
前記パイロットシンボルの位相を変更することにより、前記パイロットシンボルに対して、前記推定された周波数偏差を補償することを含み、
前記第２変更量の選択は、前記周波数偏差の補償後のパイロットシンボルの位相に基づいて行なわれる、チャネル推定方法。
【請求項８】
請求項５乃至請求項７のいずれか一項に記載のチャネル推定方法であって、
対象シンボルから第１シンボル数だけ前のシンボルから、前記対象シンボルから第２シンボル数だけ後のシンボルまでの、時間軸において連続する複数のシンボルのうちのパイロットシンボルのそれぞれに対して前記位相の変更を行ない、
前記複数のシンボルのうちの非パイロットシンボルのそれぞれに対して前記位相の変更を行ない、
前記対象シンボルに対する前記通信路状態の推定を前記複数のシンボルに基づいて行なう、チャネル推定方法。
【発明の詳細な説明】
【技術分野】
【０００１】
本発明は、チャネル推定装置、及び、チャネル推定方法に関する。
【背景技術】
【０００２】
パイロットシンボルと、パイロットシンボルと異なる非パイロットシンボルと、を含む無線信号に基づいて、通信路の状態を推定する（換言すると、チャネル推定を行なう）チャネル推定装置が知られている（例えば、特許文献１乃至３を参照）。
【０００３】
チャネル推定装置は、パイロットシンボルの位相を、当該パイロットシンボルに関連付けて予め定められた変更量だけ変更する。更に、チャネル推定装置は、非パイロットシンボルを復調し、復調によって得られたデータに基づいて非パイロットシンボルの位相を変更する。そして、チャネル推定装置は、位相が変更されたパイロットシンボルと、位相が変更された非パイロットシンボルと、に基づいてチャネル推定を行なう。
【先行技術文献】
【特許文献】
【０００４】
【特許文献１】特開２００３−１１５７８３号公報
【特許文献２】特開２００３−１１０４６０号公報
【特許文献３】特開２００７−１８９６７２号公報
【発明の概要】
【発明が解決しようとする課題】
【０００５】
しかしながら、上記チャネル推定装置は、チャネル推定に、非パイロットシンボルの復調によって得られたデータを用いる。従って、上記チャネル推定装置においては、無線信号が受信されてから、当該無線信号に対するチャネル推定の実行が完了するまでの遅延時間が長くなりやすい。
【０００６】
本発明の目的の一つは、非パイロットシンボルに基づくチャネル推定を迅速に実行することにある。
【課題を解決するための手段】
【０００７】
一つの側面では、チャネル推定装置は、パイロットシンボルと、上記パイロットシンボルと異なる非パイロットシンボルと、を含む無線信号に基づいて当該無線信号が伝搬される通信路の状態である通信路状態を推定する。
【０００８】
更に、このチャネル推定装置は、パイロット処理部と、非パイロット処理部と、チャネル推定部と、を備える。
パイロット処理部は、上記パイロットシンボルの位相を、当該パイロットシンボルに関連付けて予め定められた第１変更量だけ変更する。非パイロット処理部は、上記パイロットシンボルの上記変更後の位相に基づいて、互いに異なる複数の候補変更量の中から１つの候補変更量を第２変更量として選択し、上記非パイロットシンボルの位相を、上記選択した第２変更量だけ変更する。チャネル推定部は、上記位相が変更されたパイロットシンボルと、上記位相が変更された非パイロットシンボルと、に基づいて、上記通信路状態の推定を行なう。
【発明の効果】
【０００９】
非パイロットシンボルに基づくチャネル推定を迅速に実行できる。
【図面の簡単な説明】
【００１０】
【図１】無線フレームに含まれるＤＰＤＣＨ及びＤＰＣＣＨの一例を表す説明図である。
【図２】関連技術の基地局装置の機能の一例を表すブロック図である。
【図３】図２の基地局装置におけるチャネル推定値の一例を表す説明図である。
【図４】第１実施形態の無線通信システムの構成の一例を表すブロック図である。
【図５】図４の基地局装置の構成の一例を表すブロック図である。
【図６】図４の基地局装置の機能の一例を表すブロック図である。
【図７】周波数偏差の補償の前後におけるパイロットシンボルの位相の変化の一例を表す説明図である。
【図８】周波数偏差の補償の前後における非パイロットシンボルの位相の変化、及び、第２変更量に基づく位相の変更の前後における非パイロットシンボルの位相の変化、の一例を表す説明図である。
【図９】チャネル推定に用いられるシンボル群の一例を表す説明図である。
【図１０】図４の基地局装置におけるチャネル推定値の一例を表す説明図である。
【図１１】図４の基地局装置が実行する処理の一例を表すフローチャートである。
【発明を実施するための形態】
【００１１】
＜関連技術＞
例えば、関連技術の基地局装置及び端末装置は、ＤＳ−ＣＤＭＡ方式に従って無線により通信する。ＤＳ−ＣＤＭＡは、Ｄｉｒｅｃｔ  Ｓｐｒｅａｄ  Ｃｏｄｅ  Ｄｉｖｉｓｉｏｎ  Ｍｕｌｔｉｐｌｅ  Ａｃｃｅｓｓの略記である。
【００１２】
例えば、３ＧＰＰ  ＴＳ  ２５．２１１により規定されるとともに図１に表されるように、上りリンクにおいて、１０ｍｓの時間長を有する無線フレームは、時間軸において順に並ぶ１５個のスロット＃０〜＃１４を含む。１５個のスロット＃０〜＃１４は、同一の時間長を有する。
【００１３】
３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略記である。ＴＳは、Ｔｅｃｈｎｉｃａｌ  Ｓｐｅｃｉｆｉｃａｔｉｏｎの略記である。上りリンクは、端末装置から基地局装置への通信のリンクである。
【００１４】
各スロット＃ｉにおいて、無線フレームは、ＤＰＤＣＨとＤＰＣＣＨとを含む。ｉは、０乃至１４の各整数を表す。ＤＰＤＣＨは、Ｄｅｄｉｃａｔｅｄ  Ｐｈｙｓｉｃａｌ  Ｄａｔａ  Ｃｈａｎｎｅｌの略記である。ＤＰＣＣＨは、Ｄｅｄｉｃａｔｅｄ  Ｐｈｙｓｉｃａｌ  Ｃｏｎｔｒｏｌ  Ｃｈａｎｎｅｌの略記である。
【００１５】
例えば、ＤＰＤＣＨとＤＰＣＣＨとは、拡散符号を用いて拡散されるとともに、同相（Ｉｎ  Ｐｈａｓｅ）信号と、同相信号に直交する直交位相（Ｑｕａｄｒａｔｕｒｅ  Ｐｈａｓｅ）信号と、を用いて多重される。
例えば、ＤＰＣＣＨは、ＢＰＳＫ方式に従って変調される。ＢＰＳＫは、Ｂｉｎａｒｙ  Ｐｈａｓｅ  Ｓｈｉｆｔ  Ｋｅｙｉｎｇの略記である。
【００１６】
各スロット＃ｉにおいて、ＤＰＤＣＨは、Ｎｄａｔａビットの情報を表すデータ部からなる。Ｎｄａｔａは、１０・２ｋと等しい。ｋは、０乃至６のいずれかの整数を表す。
【００１７】
各スロット＃ｉにおいて、ＤＰＣＣＨは、時間軸において連続するとともに、１０ビットの情報をそれぞれ表す１０個のシンボルを含む。ＤＰＣＣＨは、Ｎｐｉｌｏｔビットの情報を表すパイロット部と、ＮＴＦＣＩビットの情報を表すＴＦＣＩ部と、ＮＦＢＩビットの情報を表すＦＢＩ部と、ＮＴＰＣビットの情報を表すＴＰＣ部と、からなる。ＴＦＣＩは、Ｔｒａｎｓｐｏｒｔ  Ｆｏｒｍａｔ  Ｃｏｍｂｉｎａｔｉｏｎ  Ｉｎｄｉｃａｔｏｒの略記である。ＦＢＩは、Ｆｅｅｄｂａｃｋ  Ｉｎｆｏｒｍａｔｉｏｎの略記である。ＴＰＣは、Ｔｒａｎｓｍｉｓｓｉｏｎ  Ｐｏｗｅｒ  Ｃｏｎｔｒｏｌの略記である。
【００１８】
各スロット＃ｉにてパイロット部を構成するシンボルは、パイロットシンボルと表される。パイロットシンボルは、基地局装置が予め知っている（換言すると、基地局装置にとって既知の）シンボルである。例えば、基地局装置は、パイロットシンボルが表す情報（換言すると、シンボル値）を予め知っている。
【００１９】
例えば、各スロット＃ｉにおけるパイロットシンボルの数は、３個乃至８個である。ＴＦＣＩ部、ＦＢＩ部、及び、ＴＦＣＩ部を構成するシンボルは、パイロットシンボルと異なる非パイロットシンボルと表される。非パイロットシンボルは、基地局装置が予め知らない（換言すると、基地局装置にとって未知の）シンボルである。
【００２０】
関連技術の基地局装置は、上りリンクにおける通信路の状態の推定（換言すると、チャネル推定）を、ＤＰＣＣＨに含まれるパイロットシンボルに基づいて実行する。
例えば、図２に表されるように、基地局装置の機能は、パイロット逆拡散処理部９０１と、パイロット位相変更部９０２と、周波数偏差推定部９０３と、周波数偏差補償部９０４と、振幅決定部９０５と、チャネル推定部９０６と、を含む。
【００２１】
パイロット逆拡散処理部９０１は、端末装置から受信された無線信号を、拡散符号を用いて逆拡散し、逆拡散された信号に含まれるパイロットシンボルをパイロット位相変更部９０２へ出力する。
【００２２】
パイロット位相変更部９０２は、パイロット逆拡散処理部９０１から入力されたパイロットシンボルの位相を所定の変更量だけ変更する。変更量は、パイロットシンボルが表す情報に関連付けて予め定められる（換言すると、基地局装置にとって既知である）。複数のパイロットシンボルにそれぞれ関連付けられた複数の変更量は、パイロットパターンと表されてもよい。例えば、変更量に基づくパイロットシンボルの位相の変更は、パイロットシンボルに対するシンボル値のキャンセルであると捉えられてよい。
パイロット位相変更部９０２は、位相が変更されたパイロットシンボルを、周波数偏差推定部９０３、及び、周波数偏差補償部９０４のそれぞれへ出力する。
【００２３】
周波数偏差推定部９０３は、パイロット位相変更部９０２から入力された、各スロットにおける複数のパイロットシンボルの位相に基づいて、各スロットにおける周波数偏差を推定する。周波数偏差は、端末装置が無線信号の送信（例えば、搬送波の生成、及び、変調等）に用いる周波数と、基地局装置が無線信号の受信（例えば、復調等）に用いる周波数と、の差である。
周波数偏差推定部９０３は、推定した、各スロットにおける周波数偏差を周波数偏差補償部９０４、及び、チャネル推定部９０６のそれぞれへ出力する。
【００２４】
周波数偏差補償部９０４は、パイロット位相変更部９０２から入力された各パイロットシンボルの位相を、周波数偏差推定部９０３から入力された周波数偏差に基づいて変更することにより、各パイロットシンボルに対する周波数偏差を補償する。周波数偏差の補償は、周波数偏差の除去と表されてもよい。
【００２５】
周波数偏差補償部９０４は、周波数偏差の補償後のパイロットシンボルを振幅決定部９０５へ出力する。これにより、周波数偏差補償部９０４により出力される各パイロットシンボルの位相は、所定の位相に十分に近づけられる。
【００２６】
振幅決定部９０５は、各スロットに対して、周波数偏差補償部９０４から入力された複数のパイロットシンボルの振幅の和を、当該複数のパイロットシンボルの数により除した値を振幅の平均値として算出する。振幅決定部９０５は、算出した各スロットに対する振幅の平均値をチャネル推定部９０６へ出力する。
【００２７】
チャネル推定部９０６は、各スロットに対して、振幅決定部９０５から入力された振幅の平均値と、周波数偏差推定部９０３から入力された周波数偏差と、に基づいて、当該スロットに含まれる各シンボルに対する通信路状態を推定する。通信路状態は、端末装置から基地局装置へ無線信号が伝搬される通信路の状態である。通信路状態は、チャネル推定値と表されてもよい。
【００２８】
本例では、通信路状態は、振幅及び位相により表される。各スロットに含まれる各シンボルに対する通信路状態を表す振幅は、振幅決定部９０５から入力された、当該スロットに対する振幅の平均値である。
【００２９】
各スロットに含まれる各シンボルに対する通信路状態を表す位相は、周波数偏差推定部９０３から入力された、当該スロットに対する周波数偏差と、当該スロットの先頭から当該シンボルまでの時間と、に基づいて決定される位相である。本例では、チャネル推定部９０６は、各スロットにおける各シンボルに対して、周波数偏差に基づく所定の変化率と、当該スロットの先頭から当該シンボルまでの時間と、の積に基づいて、通信路状態を表す位相を算出する。
【００３０】
従って、例えば、図３に表されるように、スロット＃ｉに対するチャネル推定値ＣＥ１は、一定の振幅Ａ１を有する。また、スロット＃ｉ＋１に対するチャネル推定値ＣＥ２は、振幅Ａ１と異なる、一定の振幅Ａ２を有する。
【００３１】
図３に表されるように、スロット＃ｉの末尾のシンボルに対するチャネル推定値ＣＥ１と、スロット＃ｉ＋１の先頭のシンボルに対するチャネル推定値ＣＥ２と、は、振幅が不連続に変化する。このように、チャネル推定の精度が低下することがある。
【００３２】
例えば、１つのシンボルに対するチャネル推定に用いられるパイロットシンボルの数を増加することにより、チャネル推定の精度を高めることが考えられる。しかしながら、パイロットシンボルの数を増加させた（例えば、平均時間を延ばした）場合、通信路状態の移動速度に対する変化がチャネル推定値に反映されにくくなる。換言すると、フェージング特性が劣化しやすい。
【００３３】
また、チャネル推定値が表す振幅は、各スロットにおいて一定である。従って、通信路状態が急速に変化する場合、チャネル推定の精度が低下しやすい。
【００３４】
例えば、特に、Ｅ−ＤＰＤＣＨ等のように、相当に低い拡散率（ＳＦ；Ｓｐｒｅａｄｉｎｇ  Ｆａｃｔｏｒ）を用いる場合、チャネル推定の精度が低くなることにより、復号される信号の品質が低下しやすい。
これに対し、後述するように、実施形態のチャネル推定装置によれば、チャネル推定の精度を高めることができる。
【００３５】
以下、図面を参照して実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００３６】
＜第１実施形態＞
（構成）
例えば、図４に表されるように、第１実施形態の無線通信システム１は、Ｍ個の基地局装置１０−１，…，１０−Ｍと、Ｎ個の端末装置２０−１，…，２０−Ｎと、を備える。
【００３７】
本例では、Ｍは、１以上の整数を表す。また、以下において、基地局装置１０−１，…，１０−Ｍは、区別する必要がない場合、基地局装置１０とも表される。ｍは、１からＭの各整数を表す。本例では、Ｎは、１以上の整数を表す。また、以下において、端末装置２０−ｎは、区別する必要がない場合、端末装置２０とも表される。ｎは、１からＮの各整数を表す。
【００３８】
無線通信システム１は、基地局装置１０−ｍと端末装置２０−ｎとの間で、所定の通信方式に従った無線通信を行なう。例えば、通信方式は、ＤＳ−ＣＤＭＡ方式である。なお、通信方式は、ＤＳ−ＣＤＭＡ方式と異なる方式であってもよい。
【００３９】
基地局装置１０−ｍは、無線エリアを形成する。なお、基地局装置１０−ｍは、複数の無線エリアを形成してもよい。無線エリアは、カバレッジ・エリア、又は、通信エリアと表されてもよい。また、無線エリアは、セルと表されてよい。例えば、セルは、マクロセル、マイクロセル、ナノセル、ピコセル、フェムトセル、ホームセル、スモールセル、又は、セクタセル等である。
【００４０】
基地局装置１０−ｍは、基地局装置１０−ｍが形成するセル内に位置する端末装置２０−ｎと無線により通信する。
本例では、基地局装置１０−ｍは、基地局装置１０−ｍが形成するセルにおいて無線リソースを提供する。本例では、無線リソースは、時間及び周波数により識別される。基地局装置１０−ｍは、基地局装置１０−ｍが形成するセル内に位置する端末装置２０−ｎと、当該セルにおいて提供している無線リソースを用いることにより通信を行なう。
【００４１】
なお、基地局装置１０−ｍは、基地局、無線通信装置、ｅＮＢ（Ｅｖｏｌｖｅｄ  Ｎｏｄｅ  Ｂ）、又は、ＮＢ（Ｎｏｄｅ  Ｂ）と表されてよい。
【００４２】
本例では、基地局装置１０−ｍは、有線又は無線により通信可能な通信網ＮＷ（例えば、コアネットワーク）に接続されている。基地局装置１０−ｍと通信網ＮＷとの間のインタフェースは、Ｓ１インタフェースと表されてもよい。また、基地局装置１０間のインタフェースは、Ｘ２インタフェースと表されてもよい。
【００４３】
端末装置２０−ｎは、端末装置２０−ｎが位置するセルにおいて提供されている無線リソースを用いて、当該セルを形成する基地局装置１０−ｍと無線により通信する。
なお、端末装置２０−ｎは、無線機器、無線端末、無線装置、又は、ユーザ端末（ＵＥ；Ｕｓｅｒ  Ｅｑｕｉｐｍｅｎｔ）と表されてよい。端末装置２０−ｎは、ユーザによって携帯されていてもよいし、車両等の移動体に搭載されていてもよいし、固定されていてもよい。
【００４４】
（構成；基地局装置１０−ｍ）
次に、基地局装置１０−ｍの構成について説明する。
本例では、図５に表されるように、基地局装置１０−ｍは、バスＢＵ１を介して互いに接続された、ＣＰＵ１１と、ＤＳＰ１２と、メモリ１３と、ＲＦ回路１４と、ネットワークＩＦ１５と、を備える。
【００４５】
ＣＰＵは、Ｃｅｎｔｒａｌ  Ｐｒｏｃｅｓｓｉｎｇ  Ｕｎｉｔの略記である。ＤＳＰは、Ｄｉｇｉｔａｌ  Ｓｉｇｎａｌ  Ｐｏｃｅｓｓｏｒの略記である。ＩＦは、Ｉｎｔｅｒｆａｃｅの略記である。ＲＦは、Ｒａｄｉｏ  Ｆｒｅｑｕｅｎｃｙの略記である。
【００４６】
ＣＰＵ１１は、メモリ１３に記憶されているプログラムを実行することにより、基地局装置１０−ｍの各部を制御する。
ＤＳＰ１２は、ＤＳＰ１２が記憶しているプログラムを実行することにより、後述する機能を実現する。なお、ＤＳＰ１２は、メモリ１３に記憶されているプログラムを実行してもよい。
【００４７】
なお、ＣＰＵ１１及びＤＳＰ１２のそれぞれは、ＬＳＩ（Ｌａｒｇｅ  Ｓｃａｌｅ  Ｉｎｔｅｇｒａｔｉｏｎ）、又は、プログラム可能な論理回路装置（ＰＬＤ；Ｐｒｏｇｒａｍｍａｂｌｅ  Ｌｏｇｉｃ  Ｄｅｖｉｃｅ）により機能が実現されてもよい。
【００４８】
メモリ１３は、例えば、ＲＡＭ、ＲＯＭ、ＨＤＤ、ＳＳＤ、半導体メモリ、及び、有機メモリの少なくとも１つを備える。ＲＡＭは、Ｒａｎｄｏｍ  Ａｃｃｅｓｓ  Ｍｅｍｏｒｙの略記である。ＲＯＭは、Ｒｅａｄ  Ｏｎｌｙ  Ｍｅｍｏｒｙの略記である。ＨＤＤは、Ｈａｒｄ  Ｄｉｓｋ  Ｄｒｉｖｅの略記である。ＳＳＤは、Ｓｏｌｉｄ  Ｓｔａｔｅ  Ｄｒｉｖｅの略記である。なお、メモリ１３は、フレキシブルディスク、光ディスク、光磁気ディスク、又は、半導体メモリ等の記録媒体と、記録媒体から情報を読み取り可能な読取装置と、を備えていてもよい。
【００４９】
ＲＦ回路１４は、アンテナ１４１を備え、アンテナ１４１を介して形成するセルに位置する端末装置２０と、上記通信方式に従った通信を行なう。ＲＦ回路１４は、ＤＳＰ１２から入力された電気信号に対応する無線信号をアンテナ１４１を介して送信する。ＲＦ回路１４は、アンテナ１４１を介して受信した無線信号に対応する電気信号をＤＳＰ１２へ出力する。本例では、ＲＦ回路１４は、ＬＳＩにより機能が実現される。
【００５０】
ＤＳＰ１２は、ＤＳＰ１２が生成した電気信号、及び、ＲＦ回路１４から入力された電気信号に対して所定の信号処理を行なう。例えば、信号処理は、送信信号の終端、受信信号の終端、及び、通信プロトコルの変換等を含む。
【００５１】
ネットワークＩＦ１５は、通信網ＮＷに接続された他の装置（例えば、制御装置）と通信を行なう。例えば、ネットワークＩＦ１５は、有線ＬＡＮ方式に従った通信を行なう。例えば、有線ＬＡＮ方式は、ＩＥＥＥ  ８０２．３シリーズ、又は、Ｅｔｈｅｒｎｅｔ（登録商標）方式である。本例では、ネットワークＩＦ１５は、ＬＳＩにより機能が実現される。
【００５２】
（機能；基地局装置１０−ｍ）
次に、基地局装置１０−ｍの機能について説明する。
本例では、上述の関連技術と同様に、図１に表されるように、上りリンクにおいて、１０ｍｓの時間長を有する無線フレームは、時間軸において順に並ぶ１５個のスロット＃０〜＃１４を含む。１５個のスロット＃０〜＃１４は、同一の時間長を有する。
【００５３】
各スロット＃ｉにおいて、無線フレームは、ＤＰＤＣＨとＤＰＣＣＨとを含む。本例では、ＤＰＤＣＨとＤＰＣＣＨとは、拡散符号を用いて拡散されるとともに、同相信号と、同相信号に直交する直交位相信号と、を用いて多重される。本例では、ＤＰＣＣＨは、ＢＰＳＫ方式に従って変調される。なお、ＤＰＣＣＨは、ＰＳＫ方式と異なる方式（例えば、ＱＰＳＫ方式等）に従って変調されてもよい。ＱＰＳＫは、Ｑｕａｄｒａｔｕｒｅ  Ｐｈａｓｅ  Ｓｈｉｆｔ  Ｋｅｙｉｎｇの略記である。
【００５４】
各スロット＃ｉにおいて、ＤＰＤＣＨは、Ｎｄａｔａビットの情報を表すデータ部からなる。Ｎｄａｔａは、１０・２ｋと等しい。ｋは、０乃至６のいずれかの整数を表す。
【００５５】
各スロット＃ｉにおいて、ＤＰＣＣＨは、時間軸において連続するとともに、１０ビットの情報をそれぞれ表す１０個のシンボルを含む。従って、本例では、１０個のシンボルは、互いに異なる複数の時点にてそれぞれ送信される。ＤＰＣＣＨは、Ｎｐｉｌｏｔビットの情報を表すパイロット部と、ＮＴＦＣＩビットの情報を表すＴＦＣＩ部と、ＮＦＢＩビットの情報を表すＦＢＩ部と、ＮＴＰＣビットの情報を表すＴＰＣ部と、からなる。
【００５６】
各スロット＃ｉにてパイロット部を構成するシンボルは、パイロットシンボルと表される。パイロットシンボルは、基地局装置１０−ｍが予め知っている（換言すると、基地局装置１０−ｍにとって既知の）シンボルである。例えば、基地局装置１０−ｍは、パイロットシンボルが表す情報（換言すると、シンボル値）を予め知っている。
【００５７】
例えば、各スロット＃ｉにおけるパイロットシンボルの数は、３個乃至８個である。ＴＦＣＩ部、ＦＢＩ部、及び、ＴＰＣ部を構成するシンボルは、パイロットシンボルと異なる非パイロットシンボルと表される。非パイロットシンボルは、基地局装置１０−ｍが予め知らない（換言すると、基地局装置１０−ｍにとって未知の）シンボルである。
シンボルの位相及び振幅は、同相成分の値（換言すると、Ｉ値）、及び、直交位相成分の値（換言すると、Ｑ値）により表されてもよい。
【００５８】
基地局装置１０−ｍは、上りリンクにおける通信路の状態の推定（換言すると、チャネル推定）を、ＤＰＣＣＨに含まれるパイロットシンボル及び非パイロットシンボルの両方に基づいて実行する。
【００５９】
例えば、基地局装置１０−ｍの機能は、図６に表されるように、パイロット逆拡散処理部１２１と、非パイロット逆拡散処理部１２２と、を含む。更に、基地局装置１０−ｍの機能は、パイロット位相変更部１２３と、周波数偏差推定部１２４と、周波数偏差補償部１２５と、位相変更量選択部１２６と、非パイロット位相変更部１２７と、チャネル推定部１２８と、を含む。本例では、図６に表される機能は、ＤＳＰ１２により実現される。
【００６０】
基地局装置１０−ｍは、チャネル推定装置の一例である。パイロット位相変更部１２３と、周波数偏差補償部１２５のうちのパイロットシンボルを処理する機能と、は、パイロット処理部の一例である。位相変更量選択部１２６、非パイロット位相変更部１２７、及び、周波数偏差補償部１２５のうちの非パイロットシンボルを処理する機能と、は、非パイロット処理部の一例である。
【００６１】
パイロット逆拡散処理部１２１は、端末装置２０−ｎから受信された無線信号を、拡散符号を用いて逆拡散し、逆拡散された信号に含まれるパイロットシンボルをパイロット位相変更部１２３へ出力する。
【００６２】
非パイロット逆拡散処理部１２２は、端末装置２０−ｎから受信された無線信号を、拡散符号を用いて逆拡散し、逆拡散された信号に含まれる非パイロットシンボルを、周波数偏差補償部１２５、及び、非パイロット位相変更部１２７のそれぞれへ出力する。
【００６３】
パイロット位相変更部１２３は、パイロット逆拡散処理部１２１から入力されたパイロットシンボルの位相を所定の変更量（換言すると、第１変更量）だけ変更する。第１変更量は、パイロットシンボルが表す情報に関連付けて予め定められる（換言すると、基地局装置１０−ｍにとって既知である）。
【００６４】
本例では、パイロット位相変更部１２３は、各パイロットシンボルに関連付けられた第１変更量を予め記憶する。複数のパイロットシンボルにそれぞれ関連付けられた複数の第１変更量は、パイロットパターンと表されてもよい。例えば、第１変更量に基づくパイロットシンボルの位相の変更は、パイロットシンボルに対するシンボル値のキャンセルであると捉えられてよい。
【００６５】
パイロット位相変更部１２３は、位相が変更されたパイロットシンボルを、周波数偏差推定部１２４、周波数偏差補償部１２５、及び、チャネル推定部１２８のそれぞれへ出力する。
【００６６】
周波数偏差推定部１２４は、パイロット位相変更部１２３から入力された、各スロットにおける複数のパイロットシンボルの位相に基づいて、各スロットにおける周波数偏差を推定する。周波数偏差は、端末装置２０−ｎ（換言すると、送信装置）が無線信号の送信（例えば、搬送波の生成、及び、変調等）に用いる周波数と、基地局装置１０−ｍ（換言すると、受信装置）が無線信号の受信（例えば、復調等）に用いる周波数と、の差である。
【００６７】
本例では、周波数偏差推定部１２４は、各スロットにおける各パイロットシンボルの位相と、当該スロットの先頭から各パイロットシンボルまでの時間と、に基づいて、各スロットにおける周波数偏差を推定する。
周波数偏差推定部１２４は、推定した、各スロットにおける周波数偏差を周波数偏差補償部１２５へ出力する。
【００６８】
周波数偏差補償部１２５は、パイロット位相変更部１２３から入力された各パイロットシンボルの位相を、周波数偏差推定部１２４から入力された周波数偏差に基づいて変更することにより、各パイロットシンボルに対する周波数偏差を補償する。周波数偏差の補償は、周波数偏差の除去と表されてもよい。
【００６９】
本例では、周波数偏差補償部１２５は、各スロットにおける各パイロットシンボルに対して、周波数偏差に基づく所定の変化率と、当該スロットの先頭から当該パイロットシンボルまでの時間と、の積に基づいて当該パイロットシンボルの位相を変更する。
【００７０】
周波数偏差補償部１２５は、周波数偏差の補償後のパイロットシンボルを位相変更量選択部１２６へ出力する。本例では、周波数偏差補償部１２５により出力される各パイロットシンボルの位相は、所定の位相（換言すると、基準位相）に十分に近づけられる。
【００７１】
例えば、図７の（Ａ）は、パイロット位相変更部１２３から周波数偏差補償部１２５へ入力された、１つのスロットにおける複数（本例では、６個）のパイロットシンボルＳＡ１〜ＳＡ６を表す。図７において、各シンボルは、同相成分を表すＩ軸と、直交位相成分を表すＱ軸と、からなる直交座標における点（換言すると、シンボル点）により表される。Ｉ軸、及び、Ｑ軸により表される平面は、ＩＱ平面と呼ばれてもよい。
【００７２】
本例では、Ｉ軸とＱ軸とからなる直交座標における原点からシンボル点までの距離は、シンボルの振幅を表す。また、本例では、当該原点とシンボル点とを結ぶ直線と、Ｉ軸又はＱ軸と、により形成される角度は、シンボルの位相を表す。なお、図７においては、説明を簡単にするために、各シンボルの振幅が一定である場合が想定されている。
【００７３】
図７の（Ｂ）は、周波数偏差補償部１２５による周波数偏差の補償後のパイロットシンボルＳＡ７を表す。このようにして、周波数偏差補償部１２５により出力される、各スロットにおける各パイロットシンボルの位相は、１つの基準位相に十分に近づけられる。
【００７４】
更に、周波数偏差補償部１２５は、非パイロット逆拡散処理部１２２から入力された各非パイロットシンボルの位相を、周波数偏差推定部１２４から入力された周波数偏差に基づいて変更することにより、各非パイロットシンボルに対する周波数偏差を補償する。
【００７５】
本例では、周波数偏差補償部１２５は、各スロットにおける各非パイロットシンボルに対して、周波数偏差に基づく所定の変化率と、当該スロットの先頭から当該非パイロットシンボルまでの時間と、の積に基づいて当該非パイロットシンボルの位相を変更する。
【００７６】
周波数偏差補償部１２５は、周波数偏差の補償後の非パイロットシンボルを位相変更量選択部１２６へ出力する。本例では、周波数偏差補償部１２５により出力される各非パイロットシンボルの位相は、複数（例えば、２つ）の基準位相のうちの、当該非パイロットシンボルに対応する基準位相に十分に近づけられる。
【００７７】
例えば、図８の（Ａ）は、非パイロット逆拡散処理部１２２から周波数偏差補償部１２５へ入力された、１つのスロットにおける複数（本例では、４個）の非パイロットシンボルＳＢ１〜ＳＢ４を表す。図８において、図７と同様に、各シンボルは、Ｉ軸とＱ軸とからなる直交座標における点（換言すると、シンボル点）により表される。図８においても、図７と同様に、説明を簡単にするために、各シンボルの振幅が一定である場合が想定されている。
【００７８】
図８の（Ｂ）は、周波数偏差補償部１２５による周波数偏差の補償後の２つの非パイロットシンボルＳＢ５，ＳＢ６を表す。本例では、非パイロットシンボルＳＢ５は、図８の（Ａ）における非パイロットシンボルＳＢ１，ＳＢ２に対する周波数偏差が補償されたシンボルである。また、本例では、非パイロットシンボルＳＢ６は、図８の（Ａ）における非パイロットシンボルＳＢ３，ＳＢ４に対する周波数偏差が補償されたシンボルである。
【００７９】
このようにして、周波数偏差補償部１２５により出力される、各スロットにおける各非パイロットシンボルの位相は、複数（本例では、２つ）の基準位相のうちの、当該非パイロットシンボルに対応する基準位相に十分に近づけられる。
【００８０】
位相変更量選択部１２６は、各スロットの各非パイロットシンボルに対して、周波数偏差補償部１２５から入力された当該スロットにおけるパイロットシンボルの位相に基づいて、異なる複数の候補変更量の中から１つの候補変更量を第２変更量として選択する。位相変更量選択部１２６は、複数の候補変更量を予め記憶していてよい。例えば、複数の候補変更量は、０度と、１８０度と、を含む。
【００８１】
本例では、位相変更量選択部１２６は、複数の候補変更量のそれぞれに対して、周波数偏差補償部１２５から入力された、周波数偏差の補償後の非パイロットシンボルの位相を、当該候補変更量だけ変更する。位相変更量選択部１２６は、複数の候補変更量のうちの、非パイロットシンボルの変更後の位相が、当該非パイロットシンボルと同じスロットにおける、周波数偏差の補償後のパイロットシンボルの位相に最も近くなる候補変更量を第２変更量として選択する。
【００８２】
位相変更量選択部１２６は、各スロットの各非パイロットシンボルに対して選択した第２変更量を非パイロット位相変更部１２７へ出力する。複数の非パイロットシンボルに対してそれぞれ選択された複数の第２変更量は、非パイロットパターンと表されてもよい。
【００８３】
非パイロット位相変更部１２７は、各スロットの各非パイロットシンボルに対して、非パイロット逆拡散処理部１２２から入力された非パイロットシンボルの位相を、位相変更量選択部１２６から入力された第２変更量だけ変更する。例えば、第２変更量に基づく非パイロットシンボルの位相の変更は、非パイロットシンボルに対するシンボル値のキャンセルであると捉えられてよい。
【００８４】
非パイロット位相変更部１２７は、位相が変更された非パイロットシンボルをチャネル推定部１２８へ出力する。
図８の（Ｃ）は、非パイロット位相変更部１２７による位相の変更後の非パイロットシンボルＳＢ７を表す。このようにして、非パイロット位相変更部１２７により出力される、各スロットにおける各非パイロットシンボルの位相は、１つの基準位相に十分に近づけられる。
【００８５】
チャネル推定部１２８は、各スロットに含まれる各シンボルに対する通信路状態を推定する。通信路状態は、端末装置２０−ｎから基地局装置１０−ｍへ無線信号が伝搬される通信路の状態である。通信路状態は、チャネル推定値と表されてもよい。本例では、通信路状態は、振幅及び位相により表される。
【００８６】
本例では、チャネル推定部１２８は、パイロット位相変更部１２３から入力された、位相の変更後のパイロットシンボルと、非パイロット位相変更部１２７から入力された、位相の変更後の非パイロットシンボルと、に基づいて通信路状態の推定を行なう。通信路状態の推定は、チャネル推定と表されてもよい。
【００８７】
本例では、チャネル推定部１２８は、対象シンボルを含むシンボル群に基づいて、当該対象シンボルに対する通信路状態を推定する。対象シンボルは、通信路状態を推定する対象となるシンボルである。シンボル群は、対象シンボルから第１シンボル数だけ前のシンボルから、当該対象シンボルから第２シンボル数だけ後のシンボルまでの、時間軸において連続する複数のシンボルにより構成される。本例では、シンボル群を構成する複数のシンボルは、パイロットシンボルと非パイロットシンボルとを含む。
【００８８】
本例では、対象シンボルに対する通信路状態を表す位相は、シンボル群を構成する複数のシンボルの位相の平均値である。同様に、本例では、対象シンボルに対する通信路状態を表す振幅は、シンボル群を構成する複数のシンボルの振幅の平均値である。
【００８９】
例えば、図９に表されるように、第１シンボル数は、１０個であり、第２シンボル数は、９個である。この場合、チャネル推定部１２８は、スロット＃ｉの０番目のシンボルに対する通信路状態を、スロット＃ｉ−１の０番目のシンボルから、スロット＃ｉの９番目のシンボルまでのシンボル群に基づいて推定する。また、この場合、チャネル推定部１２８は、スロット＃ｉの１番目のシンボルに対する通信路状態を、スロット＃ｉ−１の１番目のシンボルから、スロット＃ｉ＋１の０番目のシンボルまでのシンボル群に基づいて推定する。チャネル推定部１２８は、他のシンボルに対する通信路状態も、上述した場合と同様に推定する。
なお、第１シンボル数は、第２シンボル数と等しくてもよく、第２シンボル数よりも小さくてもよい。
【００９０】
このようにして、例えば、図１０に表されるように、スロット＃ｉの末尾のシンボルに対するチャネル推定値ＣＥ３と、スロット＃ｉ＋１の先頭のシンボルに対するチャネル推定値ＣＥ４と、は、振幅が連続して変化する。
【００９１】
このように、基地局装置１０−ｍによれば、チャネル推定の精度を高めることができる。また、対象シンボルから所定の時間内の期間に含まれるとともに、当該対象シンボルに対するチャネル推定に用いられるシンボルの数を、パイロットシンボルのみが用いられる場合よりも増加することができる。この結果、チャネル推定の精度を高めることができる。また、通信路状態の時間に対する変化をチャネル推定値に高い精度にて反映できる。
【００９２】
例えば、基地局装置１０−ｍは、推定された通信路状態に基づいて、ＤＰＤＣＨを構成する信号を復調する。
【００９３】
（動作）
無線通信システム１の動作の一例について説明する。
先ず、端末装置２０−ｎは、ＤＰＤＣＨとＤＰＣＣＨとを含む無線信号を基地局装置１０−ｍへ送信する。
【００９４】
基地局装置１０−ｍは、端末装置２０−ｎからＤＰＤＣＨとＤＰＣＣＨとを含む無線信号を受信する。そして、基地局装置１０−ｍは、例えば、図１１に表される処理を実行する。
【００９５】
本例では、基地局装置１０−ｍは、端末装置２０−ｎから受信された無線信号に対して逆拡散処理を実行する（図１１のステップＳ１０１）。本例では、逆拡散処理は、受信された無線信号を、拡散符号を用いて逆拡散することと、逆拡散された信号に含まれる、パイロットシンボル及び非パイロットシンボルのそれぞれを取得することと、を含む。
【００９６】
次いで、基地局装置１０−ｍは、逆拡散処理において取得されたパイロットシンボルに対してキャンセル処理を実行する（図１１のステップＳ１０２）。本例では、パイロットシンボルに対するキャンセル処理は、パイロットシンボルの位相を当該パイロットシンボルが表す情報に関連付けて予め定められた第１変更量だけ変更することを含む。
【００９７】
次いで、基地局装置１０−ｍは、パイロットシンボルに対するキャンセル処理の実行後の、各スロットにおける複数のパイロットシンボルの位相に基づいて、各スロットにおける周波数偏差を推定する（図１１のステップＳ１０３）。
【００９８】
次いで、基地局装置１０−ｍは、パイロットシンボルに対するキャンセル処理の実行後の各パイロットシンボルの位相を、推定された周波数偏差に基づいて変更することにより、各パイロットシンボルに対する周波数偏差を補償する（図１１のステップＳ１０４）。
【００９９】
次いで、基地局装置１０−ｍは、逆拡散処理において取得された各非パイロットシンボルの位相を、推定された周波数偏差に基づいて変更することにより、各非パイロットシンボルに対する周波数偏差を補償する（図１１のステップＳ１０５）。
なお、ステップＳ１０４とステップＳ１０５とは、図１１に表される順序と逆の順序にて実行されてもよい。
【０１００】
次いで、基地局装置１０−ｍは、各スロットの各非パイロットシンボルに対して、周波数偏差が補償された、当該スロットにおけるパイロットシンボルの位相に基づいて、複数の候補変更量のうちの１つを第２変更量として選択する（図１１のステップＳ１０６）。
【０１０１】
本例では、基地局装置１０−ｍは、複数の候補変更量のそれぞれに対して、周波数偏差の補償後の非パイロットシンボルの位相を、当該候補変更量だけ変更する。更に、基地局装置１０−ｍは、複数の候補変更量のうちの、非パイロットシンボルの変更後の位相が、当該非パイロットシンボルと同じスロットにおける、周波数偏差の補償後のパイロットシンボルの位相に最も近くなる候補変更量を第２変更量として選択する。
【０１０２】
次いで、基地局装置１０−ｍは、逆拡散処理において取得された非パイロットシンボルに対してキャンセル処理を実行する（図１１のステップＳ１０７）。本例では、非パイロットシンボルに対するキャンセル処理は、非パイロットシンボルの位相を当該非パイロットシンボルに対して選択された第２変更量だけ変更することを含む。
【０１０３】
次いで、基地局装置１０−ｍは、各スロットに含まれる各シンボルに対する通信路状態を推定（換言すると、チャネル推定を実行）する（図１１のステップＳ１０８）。本例では、基地局装置１０−ｍは、パイロットシンボルに対するキャンセル処理の実行後のパイロットシンボルと、非パイロットシンボルに対するキャンセル処理の実行後の非パイロットシンボルと、に基づいてチャネル推定を実行する。
そして、基地局装置１０−ｍは、図１１に表される処理を終了する。
【０１０４】
以上、説明したように、第１実施形態の基地局装置１０−ｍは、パイロットシンボルの位相を、当該パイロットシンボルに関連付けて予め定められた第１変更量だけ変更する。更に、基地局装置１０−ｍは、パイロットシンボルの変更後の位相に基づいて、互いに異なる複数の候補変更量の中から１つの候補変更量を第２変更量として選択する。
【０１０５】
加えて、基地局装置１０−ｍは、非パイロットシンボルの位相を、選択した第２変更量だけ変更する。更に、基地局装置１０−ｍは、位相が変更されたパイロットシンボルと、位相が変更された非パイロットシンボルと、に基づいて、通信路状態の推定を行なう。
【０１０６】
これによれば、非パイロットシンボルの復調を行なわずに、非パイロットシンボルに基づいて通信路の状態を推定（換言すると、チャネル推定を実行）できる。この結果、非パイロットシンボルに基づくチャネル推定を迅速に実行できる。
【０１０７】
更に、第１実施形態の基地局装置１０−ｍは、互いに異なる複数の時点にてそれぞれ送信された複数のパイロットシンボルのそれぞれに対して、第１変更量に基づく位相の変更を行なう。加えて、基地局装置１０−ｍは、複数のパイロットシンボルの変更後の位相に基づいて、端末装置２０−ｎが用いる周波数と基地局装置１０−ｍが用いる周波数との差である周波数偏差を推定する。
【０１０８】
更に、基地局装置１０−ｍは、非パイロットシンボルの位相を変更することにより、当該非パイロットシンボルに対して、推定された周波数偏差を補償する。更に、基地局装置１０−ｍは、複数の候補変更量のそれぞれに対して、周波数偏差の補償後の非パイロットシンボルの位相を、当該候補変更量だけ変更する。加えて、基地局装置１０−ｍは、当該複数の候補変更量のうちの、非パイロットシンボルの変更後の位相が、パイロットシンボルの変更後の位相に最も近くなる候補変更量を第２変更量として選択する。
【０１０９】
これによれば、非パイロットシンボルの復調を行なわずに、非パイロットシンボルに対応する第２変更量を選択できる。この結果、非パイロットシンボルに基づいて、高い精度にてチャネル推定を実行できる。
【０１１０】
更に、第１実施形態の基地局装置１０−ｍは、パイロットシンボルの位相を変更することにより、パイロットシンボルに対して、推定された周波数偏差を補償する。加えて、基地局装置１０−ｍは、周波数偏差の補償後のパイロットシンボルの位相に基づいて第２変更量の選択を行なう。
【０１１１】
これによれば、非パイロットシンボルに高い精度にて対応する第２変更量を選択できる。この結果、非パイロットシンボルに基づいて、高い精度にてチャネル推定を実行できる。
【０１１２】
更に、第１実施形態の基地局装置１０−ｍは、シンボル群を構成する複数のシンボルのうちのパイロットシンボルのそれぞれに対して位相の変更を行なう。シンボル群は、対象シンボルから第１シンボル数だけ前のシンボルから、対象シンボルから第２シンボル数だけ後のシンボルまでの、時間軸において連続する複数のシンボルからなる。
【０１１３】
加えて、基地局装置１０−ｍは、当該複数のシンボルのうちの非パイロットシンボルのそれぞれに対して位相の変更を行なう。更に、基地局装置１０−ｍは、対象シンボルに対する通信路状態の推定を当該複数のシンボルに基づいて行なう。
【０１１４】
これによれば、所定の数のシンボルを、対象シンボルに対するチャネル推定に用いることができる。従って、通信路の状態が急速に変動する場合であっても、高い精度にてチャネル推定を実行できる。また、基地局装置１０−ｍによれば、対象シンボルが送信された時点を含む所定の時間長を有する期間にて送信されたシンボルを、対象シンボルに対するチャネル推定に用いることができる。従って、通信路の状態の時間に対する変化を高い精度にてチャネル推定に反映できる。
【０１１５】
なお、シンボル（本例では、パイロットシンボル、又は、非パイロットシンボル）に対するキャンセル処理は、「１」又は「−１」をシンボルに乗算することにより実現されてもよい。この場合、当該キャンセル処理は、ビットの反転を行なう回路と、加算器と、により実現されてよい。また、第２変更量を選択する処理は、非パイロットシンボルの加算を行なう加算器と、選択器と、により実現されてよい。
【０１１６】
ところで、上述した関連技術の基地局装置においては、チャネル推定に用いられるパイロットシンボルの数は変更されることがある。従って、上述した関連技術の基地局装置においては、各スロットにおけるパイロットシンボルに対して平均化処理が実行される。このため、各スロットにおけるパイロットシンボルの数に基づく除算、及び、周波数偏差の乗算が行なわれる。これにより、チャネル推定が実行される。
【０１１７】
これに対し、第１実施形態の基地局装置１０−ｍによれば、チャネル推定に用いられるシンボルの数を一定に維持できる。従って、上述した関連技術の基地局装置において実行される平均化処理を実行せずに、チャネル推定を実行できる。これにより、チャネル推定を実行するために行なわれる、除算及び乗算の量を抑制できる。従って、基地局装置１０−ｍにおける処理の負荷を抑制できる。
【０１１８】
なお、第１実施形態の無線通信システム１において、開示の技術は、上りリンクにおけるチャネル推定に適用されるが、下りリンクにおけるチャネル推定に適用されてもよい。
また、本例では、基地局装置１０−ｍは、チャネル推定装置、及び、受信装置の両方に対応する。ところで、無線通信システム１は、基地局装置１０−ｍと異なるチャネル推定装置を備えていてもよい。
【符号の説明】
【０１１９】
１      無線通信システム
１０    基地局装置
１１    ＣＰＵ
１２    ＤＳＰ
１２１  パイロット逆拡散処理部
１２２  非パイロット逆拡散処理部
１２３  パイロット位相変更部
１２４  周波数偏差推定部
１２５  周波数偏差補償部
１２６  位相変更量選択部
１２７  非パイロット位相変更部
１２８  チャネル推定部
１３    メモリ
１４    ＲＦ回路
１４１  アンテナ
１５    ネットワークＩＦ
２０    端末装置
９０１  パイロット逆拡散処理部
９０２  パイロット位相変更部
９０３  周波数偏差推定部
９０４  周波数偏差補償部
９０５  振幅決定部
９０６  チャネル推定部
ＢＵ１  バス
ＮＷ    通信網
【図１】
2017208659.tif 000003
【図２】
2017208659.tif 000004
【図３】
2017208659.tif 000005
【図４】
2017208659.tif 000006
【図５】
2017208659.tif 000007
【図６】
2017208659.tif 000008
【図７】
2017208659.tif 000009
【図８】
2017208659.tif 000010
【図９】
2017208659.tif 000011
【図１０】
2017208659.tif 000012
【図１１】
2017208659.tif 000013